(57)【特許請求の範囲】
【請求項１】
実用メータに通信を介して結合したエンドポイントを設け、
ａ）サンプルウインドウのスタートにおいて実用メータからの第１の読み取りを行ないメモリし、
ｂ）サンプルウインドウの終りにおいて実用メータからの第２の読み取りを行ない、
ｃ）上記第１、第２の読み取りからサンプルウインドウの間の消費量を定め、
ｄ）定められた消費量を問題イベント基準値と比較し、
ｅ）定められた消費量が問題イベント基準値に合致したとき、これを出来事としてメモリし、
ｆ）上記ａ）〜ｅ）の工程を繰り返し、
ｇ）上記定められた消費量が問題イベント基準値に連続して合致する連続回数をイベントカウント基準値と比較し、及び
ｈ）上記連続回数がイベントカウント基準値に等しいかまたはこれより大きいときこの検出を示すＲＦ信号を伝送する
ことを特徴とする実用メータによる異常な消費量の自動検出システム。
【請求項２】
自己学習ソフトウエアを用いて上記エンドポイントが、サンプルウインドウ、サンプルウインドウの発生周期、問題イベント基準値、またはイベントカウント基準値を作ることを特徴とする請求項１記載のシステム。
【請求項３】
上記定められた消費量が連続して２度問題イベント基準値に合致しないとき上記メモリされた出来事の回数を零にリセットすることを特徴とする請求項１記載のシステム。
【請求項４】
上記検出を示すＲＦ信号をＡＭＲシステムに所定の信号伝送間隔で伝送することを特徴とする請求項１記載のシステム。
【請求項５】
異常に低い消費量に対して問題イベント基準値を作ることを特徴とする請求項１記載のシステム。
【請求項６】
異常に高い消費量に対して問題イベント基準値を作ることを特徴とする請求項１記載のシステム。
【請求項７】
上記工程ｅ）とｆ）間に、ある休止時間を含むことを特徴とする請求項１記載のシステム。
【請求項８】
実用メータによって異常値を検出するため実用メータに通信を介して結合したエンドポイントを有し、このエンドポイントが
ａ）ＲＦトランスミッタと、
ｂ）メモリを有し、パラメータを形成できるプログラム指令によって操作されるマイクロプロセッサと、
より成り、上記パラメータがサンプルウインドウと、サンプルウインドウの発生周期と、問題イベント基準値と及びイベントカウント基準値とを有し、サンプルウインドウのスタートにおいて実用メータからの第１の読み取りをメモリし、サンプルウインドウの終りにおいて実用メータからの第２の読み取りを、メモリし、
上記第１、第２の読み取りからサンプルウインドウの間の消費量を定め、
定められた消費量を上記問題イベント基準値と比較し、両者が合致したとき上記定められた消費量をメモリし、
上記定められた消費量が問題イベント基準値と連続して合致する連続回数をイベントカウント基準値に比較し、及び
上記連続回数が上記イベントカウント基準値に等しいか上記イベントカウント基準値以上のとき上記ＲＦトランスミッタがこれを示す検出信号を出すことを特徴とする実用メータによる異常な消費量の自動検出装置。
【請求項９】
上記マイクロプロセッサが形成する少なくとも１つのパラメータが自己学習ソフトウエアを用いてエンドポイントにより形成されることを特徴とする請求項８記載の装置。
【請求項１０】
上記定められた消費量が連続して２度上記問題イベント基準値に合致しないとき上記メモリされた出来事の回数をゼロにリセットすることを特徴とする請求項８記載の装置。
【請求項１１】
上記ＲＦトランスミッタが所定の信号伝送間隔で上記検出を示すＲＦ信号をＡＭＲシステムに伝送することを特徴とする請求項８記載の装置。
【請求項１２】
上記問題イベント基準値が異常に低い消費量であることを特徴とする請求項８記載の装置。
【請求項１３】
上記問題イベント基準値が異常に高い消費量であることを特徴とする請求項８記載の装置。
【発明の詳細な説明】
【技術分野】
【０００１】
本発明は、消費量の測定方法及び装置、特に、異常な消費パターンの検出システム及び装置に関するものである。
【背景技術】
【０００２】
自動メータ読み取り（ＡＭＲ）システムは既知である。遠隔地から顧客のメータを読み取り、モニタするためＲＦトランスミッタを用いるＡＭＲシステムが用いられている。ＡＭＲシステムは実際の読み取り値の合計と、請求書の管理の効率と正確さを上げるため効果的である。例えば、家庭用ガス、電気、水等のメータの月毎の読み取りにＡＭＲシステムを用いれば、各家庭を廻ってメータを見る必要性を除くことができる。
【０００３】
最近のＡＭＲシステムとしては種々異なる型のものが作られている。固定のネットワークにおいてはメータ位置のエンドポイントがメータを読み取り合計し、データをＲＦ通信を用いて伝送するリーダに接続されている。広い地域に亘り複数の固定の中間リーダやリレーが配置され、各エンドポイントが特定のリーダに関連付けられ、各リーダは中央システムに連結されている。他の固定システムは総べてのエンドポイントが接続される１つの中心リーダのみを利用する。移動可能な場所では、場所から場所に移動リーダを移動してエンドポイントからのデータを集めるためのＲＦ通信能力を有する移動リーダまたはハンドユニットを用いる。
【０００４】
ＡＭＲシステムは１方向、１．５方向または２方向通信能力を有する。一方向システムにおいては、レシーバにデータを送るためエンドポイントは周期的にオンとし、または、“バブルアップ”する。１．５方向ＡＭＲシステムは始動信号をエンドポイントに送るリーダを有し、読み取りを行なう。２方向システムはエンドポイントと、レシバー／伝達装置間を制御し、並びにエンドポイントによりデータを伝送せしめる。
【０００５】
消費情報を報知することに加えエンドポイントは異常なまたは警戒すべき行為が検出されたとき警報をプロバイダに送る必要がある。実用メータに協働する不正及び不調検出システムは既知である。機械的、電子機械的、光学的及び電子的システムは特許文献１〜１３に示されている。
【特許文献１】米国特許３８９３５８６号明細書
【特許文献２】米国特許４５８８９４９号明細書
【特許文献３】米国特許４６６５３５９号明細書
【特許文献４】米国特許４８１１６００号明細書
【特許文献５】米国特許５０２５４７０号明細書
【特許文献６】米国特許５０８６２９２号明細書
【特許文献７】米国特許５１１３１３０号明細書
【特許文献８】米国特許５１４８１０１号明細書
【特許文献９】米国特許５２９３１１５号明細書
【特許文献１０】米国特許５４２２５６５号明細書
【特許文献１１】米国特許５４７３３２２号明細書
【特許文献１２】米国特許６０９８４５６号明細書
【特許文献１３】米国特許６２３６１９７号明細書
【発明の開示】
【発明が解決しようとする課題】
【０００６】
上記イベント検出システムはメータまたはエンドポイントに生じた異常な状態を指示できるが、これらシステムはメータまたはエンドポイント自体が直接不法に手が加えられていないとき、顧客によってメータの漏れやバイパスのような問題や誤使用を示す異常な消費パターンを認識できるようにはなっていない。
【０００７】
中心ステーションに集められた測定データの解析により長期間の平均使用傾向を示すことができるが、集められた消費データは、消費における急な、然し一時的な変化である短い期間のパターンを引き出すことができるように十分な回数サンプルされたものではない。例えば、従来のように集められたメータの読みからは昼と夜の消費パターン間の区別はできない。メータ読み取り回数を増加することは、ＡＭＲシステム通信チャンネル容量に対する制限のため非現実的である。更に、エンドポイントは電池によって作動されているため、及び伝送回数の制限のため情報の無線伝送の回数の大きな増加は望ましくない。
【０００８】
本発明の目的は、消費の異常を検出するための機能を有する、水、ガスまたは電気等の必需品の消費量を測定する実用メータエンドポイントを得るにある。上記異常には漏れ、不正、短絡または他の故障、許されないメータのバイパス等が含まれる。以上の検出に応じて好ましくはエンドポイントはリーダまたはデータ受け取りステーションに自動メータ読み取り（ＡＭＲ）システムを介して効果的に指示を送る。
【０００９】
短い期間の消費量変化または使用パターンを検出するためメータの読みをより多くの回数送る代りに、本発明の実施例における実用メータエンドポイントはタイムスケジュールに応じて複数のサンプルを取り出し、異常な行為または他の問題の或る型を反映するプログラム可能な基準値に対して使用パターンをテストする。基準値を満足するときは、検出された異常イベントは通常の伝送サイクルの間エンドポイントによりＡＭＲシステムに応答できる。また、エンドポイントは特別なアラーム条件を予定外に伝送できる。
【課題を解決するための手段】
【００１０】
本発明の一実施例においては、プロバイダは、１つまたは１つ以上の消費レートしきい値と、所定の期間におけるしきい値イベントの発生回数と、消費のサンプル期間、及びサンプリング回数のようなパラメータのセットをベースとしてプログラム可能な基準値を定めることができる。異なる型のメータと設備は対応する欠かんパラメータ設定に関連せしめ得る。例えば、単一家族の住居、複数家族の住居、商業サイト、光産業及び重工業設備には夫々異なるパラメータのセットを設定可能である。
【００１１】
また、本発明の実施例においてはエンドポイントは、各顧客の利用パターンの設定、設定されたパターンからの疑わしい変動を自動的に判断するようにプログラムできる。
【発明を実施するための最良の形態】
【００１２】
以下図面によって本発明の実施例を説明する。
【実施例１】
【００１３】
エンドポイントとＡＭＲ通信モード
【００１４】
図１に示す本発明のＡＭＲシステム１００は電気メータ１０２と、ガスメータ１０４と、水用メータ１０６とを含む少なくとも１つの実用測定装置を有する。メータの夫々は電源または電池によって作動される。ＡＭＲシステム１００は更に１つのメータに対応し、接続される少なくとも１つのエンドポント１０８を有する。エンドポイント１０８は例えば米国特許第５０５６１０７号、米国特許第６２６２６８５号、及び米国特許６９３４３１６号明細書に示されているアイトロン  インコーポレイテッド製ＥＲＴ等のＲＦトランスミッタであるのが好ましい。上記システムは更に固定または可動の１つまたは１つ以上のリーダを含む。図１は、（１）アイトロンオフサイトメータ読み取りシステムで用いられる可動手持リーダ１１０と、（２）アイトロンＡＭＲシステムで用いられる移動車載リーダ１１２と、（３）付加的構成要素としてのセル制御ユニット（ＣＣＵ）とネットワーク制御ノード（ＮＣＮ）を用いるアイトロンネットワークＡＭＲシステムのような固定無線通信ネットワーク１１４と、及び（４）ＰＳＴＮを通す電話通信及びコンセントレータを通す無線通信の双方を用いるアイトロンマイクロネットワークＡＭＲシステム１１６を示す。これらシステムの種々の特許及びシステムは公知例として示す。勿論、他の型のエンドポイント、リーダ及びＡＭＲネットワークも用い得る。ＡＭＲシステム１００は更に測定データの集合を管理し、ユテリティにこのデータを送るヘッド側ホストプロセッサ１１８、及び供給者請求システム１２０を含む。
【００１５】
エンドポイント１０８によって集められたデータはリーダ１１０、１１２または固定無線通信ネットワーク１１４によってＡＭＲシステムを介して読み取ることができる。また、データはリーダとエンドポイント１０８間の通信範囲を広げる中間トランスミッタ／レシーバを介してＡＭＲシステムによって読み取り、再伝送できる。エンドポイントデータの読み取り方法にかかわらずリーダにはトランスミッタ、レシーバ、入力要素及びデータ貯蔵要素を含め得る。
【００１６】
ＡＭＲシステム１００においては、エンドポイント１０８によって一方向メータ読み取り、１．５方向メータ読み取り、２方向メータ読み取りを可能とする。一方向メータ読み取りシステムにおいては、各エンドポイントからの同期して送られたメッセージをリーダが受け取る。このシステムではエンドポイントはリーダからの情報を受け取る必要はない。２方向読み取りシステムにおいては、エンドポイントはリーダによって出された促進信号を受け取り、応答する。促進信号には実用メータ  消費データのためのリクエスト、エンドポイントの操作状態についての情報、停電等の発生についての情報、特定された操作パラメータ変更の情報等を含む。従って、２方向メータ読み取りシステムは、リーダのコミュニケーション及び指令に対するエンドポイントの応答を促進しながら、エンドポイントに対する任意の指令及びＡＭＲシステムのリーダコミュニケーションを促進せしめる。１．５方向メータ読み取りシステムは、エンドポイントによるデータ伝送要求を促進し、２方向システムのコミュニケーションの制御及び複雑な指令を避けるようにする。１．５方向システムおいては、リーダはエンドポイントに促進信号を送り、エンドポイントは促進信号を受け取り、これに応答して集合データを単に送る。
【００１７】
図２は実用メータ２１０に接続されたエンドポイント２０８の一実施例を示す。エンドポイント２０８は実用メータ２１０に接続され実用メータ２１０から消費量、実用メータの状態、歴史等の関連データを受け取り、ＡＭＲシステム２１２にデータを送る。エンドポイント２０８は、カップリング２１５を介して実用メータ２１０に結合されるインターフェースシステム２１４を含む。一実施例においてはカップリング２１５は、実用メータ２１０とエンドポイント２０８間を物理的及び電気的に連結する電気的及び機械的な要素を含む。例えば、カップリング２１５は、マイクロプロセッサ２１６によって読み取られるデジタル表示に電気信号を変えるインターフェースシステム２１４内のインターフェースハードウエアに実用メータ２１０から電気信号を送る電気的コネクタ及びコンダクタを含む。インターフェースシステム２１４はそれ自体カップリング２１５を介してマイクロプロセッサ２１６に接続される。一実施例においては、カップリング２１５はデータバス及びアドレスバスの一部を含む。カップリング２１５には一連のコミュニケーションリンクを有せしめ得る。
【００１８】
マイクロプロセッサ２１６はエンドポイント２０８の操作を監視するコントローラである。一実施例においてはマイクロプロセッサ２１６はメモリ、指令プロセス及びインプット／アウトプット回路を有するマイクロプロセッサである。マイクロプロセッサ２１６はインターフェース２１７を介して無線トランシーバ２１８に接続される。一実施例においてはインターフェース２１７はアンテナ２２０に接続されたアドレスバス及びデータバスの一部を含む。インターフェース２１７には一連のコミュニケーションチャンネルを有せしめ得る。インターフェースシステム２１４はマイクロプロセッサ２１６に実用メータのデータを送る。マイクロプロセッサ２１６はデータを処理し少なくとも一時的に貯蔵し、トランシーバ２１８によって好ましいまたはプログラムされた／あらかじめ定められた時間にＡＭＲシステム２１２にデータを送る。
【００１９】
一実施例においては、エンドポイント２０８は時間の５０％以上に亘り低パワースタンバイモードで操作される。スタンバイモードではインターフェースシステム２１４、マイクロプロセッサ２１６及びトランシーバ２１８は効果的に遮断され電力消費量は無視できる程度である。タイマ２２２は遮断システムを周期的に変更しこれらを操作モードとする。一実施例においては、タイマ２２２はマイクロプロセッサ２１６に接続される独立回路とする。他の実施例においては、タイマ２２２は、マイクロプロセッサ２１６の一部であるマイクロコントローラ内監視タイマとして機能する。何れの実施例においてもタイマ２２２の１つの特徴は操作時のエネルギ消費が比較的小さいことである。またタイマ２２２に設定した時間終了により、タイマ２２２は、スタンバイモードにあるシステムをオンラインとする信号を作る。この実施例ではマイクロプロセッサ２１６からのセットアップ信号２２３によってタイマ２２２内に設定可能な時間をセットする。例えば、セットアップ信号２２３はデータバスまたは他のコミュニケーションチャンネルを介して送ることができる。
【００２０】
本発明の一実施例においては、エンドポイント２０８は電源２２４を含む。電源２２４は１つまたはそれ以上の電池を含む。電源２２４は調節されたパワーを作り、スイッチ可能なパワーバス２２５を介してこれをインターフェース  システム２１４、マイクロプロセッサ２１６、トランシーバ２１８に送る。電源２２４はパワーライン２２６を介してタイマ２２２に調節されたパワーを送る。タイマ２２２は電源２２４に対する制御信号２２８を作り、電源２２４はパワーバス２２５にパワーを加える。マイクロプロセッサ２１６は電源２２４に対し制御信号２３０を作り、電源２２４はパワーバス２２５からパワーを除去する。スタンバイモードの始めにおいては、タイマ２２２にはセットアップ信号２２３を介してマイクロプロセッサ２１６によってセット可能な期間がセットされる。タイマ２２２は時間の経過をモニタし、設定タイム終了時電源２２４に対する信号を作り、パワーバス２２５にパワーが加わるようにする。パワーバス２２５を介してパワーがマイクロプロセッサ２１６、インターフェースシステム２１４及びトランシーバ２１８に加えられたとき、マイクロプロセッサ２１６がインターフェースシステム２１４を介して実用メータ２１０からの合計データであるプログラム指令またはコードを実行し、一時的にトランシーバ２１８を作動せしめる。プログラムが完了したとき、マイクロプロセッサ２１６はタイマ２２２に時間を設定し、タイマを始動し、パワーバス２２５を介してパワーを受けているシステムをパワーダウンせしめるための信号２３０を発生せしめる。
【００２１】
上述の一時的な操作サイクルはバブルアップイベントに  応答するエンドポイント動作の一例である。ここで云うバブルアップイベントとは、エンドポイントが低パワースタンバイ操作モードまたは状態から外れ、データを集めるための及びまたはデータコミュニケーションに係合する目的のためより活性な操作モードに入る状態である。バブルアップイベントの１例は、先のバブルアップイベントから所定期間経過した状態である。バブルアップイベントの他の例は、コミュニケーションサイクルが実行されたときの時刻と所定のデータが得られた状態である。エンドポイント２０８の一実施例においては、バブルアップイベントに応答してトランシーバ２１８が一方向コミュニケーションモードで操作され、ＲＦコミュニケーション２２１を介して実用メータデータが単に送られる。この一方向コミュニケーションを支持するため、リーダはエンドポイントによってトランスミッションに受け入れられるモードで連続的に操作する。このプログラムされた操作モードに応じて、エンドポイント２０８は、更なるバブルアップイベントに応じて後のトランスミッションのためメータデータを集め、処理することによってバブルアップイベントに対応することができる。
【００２２】
２方向及び１．５方向エンドポイントもまた所定期間のため一時的に受け入れ易い操作モードを導入することによって通信的に応答できる。例えば、一実施例においては所定期間の間ＡＭＲシステムを介してトランシーバ２１８が入ってくる通信を検出したときはトランシーバ２１８はマイクロプロセッサ２１６に信号を送る。次いでマイクロプロセッサ２１６は受け取った信号に応答するか否かを定める。２方向エンドポイントの一実施例においては、エンドポイント２０８に通信を送ることをマイクロプロセッサ２１６が定めたときマイクロプロセッサ２１６はＡＭＲシステム２１２からの更なる指令を受け取るようプログラムされる。更なる指令はエンドポイント２０８からの実用メータ消費データのような特別な情報を要求できこの場合にはエンドポイント２０８はこのようなデータを伝送する。別の例では、更なる指令はエンドポイント２０８の形を変えることを要求でき、この場合にはマイクロプロセッサ２１６は若し許されるならばその変更に従がう。この例ではＡＭＲシステム２１２は、形状変化、データ伝送の要求等の任意の情報をエンドポイント２０８に送ることができる。エンドポイント２０８は次いでその操作プログラムに応じて受け取った指令に応答する。
【００２３】
１．５方向エンドポイントの一実施例においては、マイクロプロセッサ２１６は、エンドポイントに送るように定められた受信信号に応じて所定期間に例えば消費データ等のデータのあらかじめ定められたデータのセットを送るようプログラムされる。この例においては、１．５方向エンドポイントは２方向通信計画を支持するために必要とされる、必要以上の処理、受け取り、及び関連するエネルギ消費が避けられる。
【００２４】
一実施例においては、エンドポイント２０８は、ＡＭＲシステム２１２によって要求されないまたは予定されない付加的情報の自発的初期伝送をなし得る。例えば、エンドポイント２０８は、検出された不当なイベントや消費における疑わしい変化に応じたアラーム情報を送ることができる。このような情報は計画されたバブルアップイベントの期間にまたは緊急性や情報の優先度に応じて自発的に送ることができる。
【００２５】
異常な消費量の検出
【００２６】
本発明においては、エンドポイントはデータ集合バブルアップイベントとデータ伝送バブルアップイベントの２つの型のバブルアップイベントの間操作するようプログラムされる。データ集合バブルアップイベントにおいては、エンドポイト１０８は実用メータを読むため、消費及び他の情報を貯蔵するため、集合された情報を更に処理するためパワーアップされる。エンドポイントは、この型のバブルアップイベントの間ＡＭＲシステムに通常はデータを送らない。データ処理は、不当な変更、漏れ、故障、疑わしい動作または他の異常を検出するための取り扱いパターンの解析を含む。データ集合バブルアップイベントはメータデータをサンプルすべきとき事実に応じた或る周期で生ずる。バブルアップの間エンドポイント２０８は低パワースタンバイ状態となし得る。
【００２７】
データ伝送バブルアップイベントにおいては、エンドポイント２０８はデータ集合バブルアップイベントにおいて通常なされる機能の総べてを実行できる。更に、エンドポイントはＡＭＲシステムに接続される。データ伝送バブルアップイベントは、例えばＡＭＲシステムにおける通信信頼性を最大とし、エンドポイント２０８における電池寿命を長くするため計画された、または調節可能な間隔で発生し得る。更に、データ伝送バブルアップイベントをエンドポイント２０８による異常な消費量検出のようなイベントをベースとして発生することができる。
【００２８】
図３は異常な消費イベントを検出するためのルーチン３００の説明用フロー線図である。一実施例においてはルーチン３００のステップはデータ集合及びデータ伝送バブルアップイベントの間になされる。他の実施例においてはルーチン３００の特別なステップのみが、ステップ内の操作の質に応じて成される。
【００２９】
ルーチン３００は、実用メータからの消費情報のサンプルを用いることをベースとし、あらかじめ定めた間隔の間で生じた消費量を定め、この定められた消費量を異常な行為を示す基準値と比較し、一致した場合には異常イベント検出とみなす。
【００３０】
好ましい実施例においてはサンプルウインドウの発生周期として定義されるサンプル期間と異常な行為を示す基準値は変更可能とする。例えば、これらパラメータはエンドポイントの作成の間作成者によって、工場において作り得る。１．５方向及び２方向ＡＭＲシステムにおいてはこれらパラメータはＡＭＲシステムを介して遠隔作成できる。例えば、エンドポイント２０８は、特別な実用メータにおける消費の歴史をベースとして上記パラメータを設定するため自己学習プログラムに応じて発見的解析を行なう。関連する実施例においては自己学習プログラムは、変形できるパラメータを有しプロバイダがいかにエンドポイント２０８が学習したかを動的に再決定可能とする。
【００３１】
ルーチン３００においては、ステップ３０２においてエンドポイント２０８は自己形成し、または、サンプルウインドウ、サンプル期間、問題イベント基準値及びイベントカウント基準値を定めるため情報を受け取る。表１はこれら実験パラメータを要約したものである。
【００３２】
【表１】
0005130220.tif 000002
【００３３】
ステップ３０４において、エンドポイント２０８は現在のサンプル期間の終り迄、即ち次のサンプル期間のスタート迄休止する。ルーチン３００のスタートにおいては、次のサンプル期間のスタートを早めることができる。一実施例においては次のバブルアップイベントを次のサンプル期間のスタートに一致せしめるようにすること及び低パワースタンバイモードにすることによってステップ３０４を実行する。
【００３４】
ステップ３０６においては、サンプルウインドウの開始時、エンドポイント２０８によって第１のメータを読み取り、それを貯蔵する。次いでエンドポイント２０８はサンプルウインドウの終りに応じた時間で次のバブルアップイベントを開始するようにできる。このときステップ３０８でエンドポイント２０８により第２の参照メータの読み取りを行なう。ステップ３１０において、サンプルウインドウ間に消費された供給商品の量を第１及び第２のメータ読み取り間の差によって計算する。
【００３５】
ステップ３１２において、エンドポイント２０８は計算した差の値を問題イベント基準値と比較する。この比較は、例えばサンプルウインドウ間の計算された消費量から低いしきい値を単に引き算することでなし得る。ステップ３１４で示したように、消費量の連続する２つの設定値が問題イベント基準値に合致しないときは、イベントカウンタはステップ３１６でリセットされ、ルーチンループはステップ３０４に戻される。他方、問題イベント基準値がサンプルウインドウ間に測定された消費量に合致する場合にはイベント発生を記録する。一実施例においては記録はステップ３１８で示したようにイベントカウンタを単に歩進することより成る。また、実際の読み取り値及びまたは計算した、または測定された情報を記録しても良い。
【００３６】
次にステップ３２０においてエンドポイント２０８によりイベント回数の記録が先に設定したイベントカウント基準値に合致するか否かをテストする。イベントカウント基準値が合致しないときはルーチンループをステップ３０４に戻し、サンプルデータの集合を続ける。イベントカウント基準値が合致したときは、ルーチンは異常な消費行為の検出があったことを示す。一実施例においては、異常な消費イベントの検出の厳格さをベースとしてエンドポイント２０８は所定の伝送間隔で次の通信時にＡＭＲシステムに対し指示を出すか、または、所望の伝送間隔が始まる前にアラームを直ちに出す。ルーチンは検出を記録するか、または、検出フラグをクリアにするかにより進め、ループはステップ３１６に戻される。
【００３７】
本発明の一実施例においては、実用メータ２１０によって異常な測定値を検出するため実用メータ２１０にエンドポイント２０８を接続する。エンドポイント２０８にはＲＦコミュニケーション２２１と、メモリを有するマイクロプロセッサ２１６を設ける。マイクロプロセッサ２１６は可変パラメータを含むプログラマ指令によって操作する。上記可変パラメータにはサンプルウインドウ、サンプル期間、問題イベント基準値及びイベントカウント基準値を含めることができ、少なくとも１つのパラメータは自己学習ソフトウエアを用いエンドポイント２０８によって作ることができる。
【００３８】
更に、エンドポイント２０８はステップ３０６に示すようにサンプルウインドウのスタート時に実用メータ２１０からの第１の読み取り値を取り出しメモリし、ステップ３０８に示すようにサンプルウインドウの終わりにおいて実用メータ２１０からの第２の読み取り値を取り出し、ステップ３１０に示すように第１、第２の読み取り値からサンプルウインドウ間の消費量を定める。
【００３９】
更に、ステップ３１２に示すようにエンドポイント２０８は設定した消費量を問題イベント基準値と比較し、設定した消費量が問題イベント基準値と合致したとき設定消費量をメモリし、連続する２つの消費量の設定値が問題イベント基準値と合致しないときはメモリされた合致回数をステップ３１６で零にリセットする。更に、エンドポイント２０８は、ステップ３２０に示すように設定消費量が問題イベント基準値に合致する連続回数をイベントカウント基準値と比較し、設定消費量が問題イベント基準値に合致する連続回数がイベントカウント基準値に等しいか、それ以上のとき、ＲＦコミュニケーション２２１が所定の間隔でＡＭＲシステム２１２にこれを指示する。本発明の一実施例においては、エンドポイント２０８のマイクロプロセッサ２１６には、サンプルウインドウ、サンプル期間、問題イベント基準値及びイベントカウント基準値等の可変パラメータを加えることができ、これらパラメータの少なくとも１つはエンドポイント２０８を作るとき形成することができる。更に、エンドポイント２０８は、所定の信号伝達間隔の始まる前に所定の一連の間隔で検出信号をＡＭＲシステム２１２に送ることができるＲＦコミュニケーション２２１を含む。
【００４０】
本発明は上記実施例に限定されず、本発明の精神の範囲内で種々増減、変更できることは勿論である。
【図面の簡単な説明】
【００４１】
【図１】本発明の一実施例における固定ＡＭＲシステムの説明用線図である。
【図２】ＡＭＲシステムに無線で接続した実用メータエンドポイントの一実施例説明用線図である。
【図３】本発明の目的に応じたエンドポイントによって異常な消費パターンを検出するシステムのフロー線図である。
【図１】
0005130220.tif 000003
【図２】
0005130220.tif 000004
【図３】
0005130220.tif 000005